(57)【要約】【課題】作業負担を増大させることなく個々の来訪者に応じた通行許可区分を有する来訪者カードを発行する。【解決手段】カードＩＤの書き換えが可能な複数の貸与用カードを予め用意し、受付装置５０で、来訪者カードで用いるカードＩＤごとに、当該カードＩＤを記録した貸与用カードの貸与状態を示す貸与状態情報を来訪者情報記憶部で記憶しておき、来訪者カード発行時には、当該来訪者の来訪目的と対応する通行許可区分を有し、かつ貸与状態が未貸与を示すカードＩＤを来訪者情報記憶部から選択し、来訪者情報記憶部のうち選択した当該カードＩＤの貸与状態を貸与中に設定するとともに、貸与用カードのいずれかに当該カードＩＤを記録することにより当該貸与用カードを来訪者カードとして発行する。【選択図】  図１
2010037895.tif 000002
【特許請求の範囲】
【請求項１】
予め登録されている登録者用のＩＤカードである登録者カードと、来訪者用のＩＤカードである来訪者カードと、これらＩＤカードに固有のカードＩＤに基づき入退室判定情報記憶部から取得した通行許可区分に基づいて施設への入退室可否を判定する入退室判定部とを備える入退室管理システムであって、
カードＩＤの書き換えが可能な複数の貸与用カードと、前記貸与用カードを前記来訪者カードとして発行する受付装置とをさらに備え、
前記受付装置は、
前記来訪者カードで用いるカードＩＤごとに、当該カードＩＤを記録した前記貸与用カードの貸与状態を記憶する来訪者情報記憶部と、
来訪者カード発行時には、当該来訪者の訪問先施設に対応する通行許可区分を有し、かつ前記貸与状態が未貸与を示すカードＩＤを前記来訪者情報記憶部から選択し、前記来訪者情報記憶部のうち選択した当該カードＩＤの前記貸与状態を貸与中に設定するとともに、前記貸与用カードのいずれかに当該カードＩＤを記録することにより当該貸与用カードを来訪者カードとして発行し、来訪者カード返却時には、前記来訪者情報記憶部のうち返却された来訪者カードから読み出したカードＩＤの前記貸与状態を未貸与に設定するＩＤカード処理部と
を備えることを特徴とする入退室管理システム。
【請求項２】
予め登録されている登録者用のＩＤカードである登録者カードと、来訪者用のＩＤカードである来訪者カードと、これらＩＤカードに固有のカードＩＤに基づき入退室判定情報記憶部から取得した通行許可区分に基づいて施設への入退室可否を判定する入退室判定部とを備える入退室管理システムで用いる入退室管理方法であって、
カードＩＤの書き換えが可能な複数の貸与用カードのうち、前記来訪者カードで用いるカードＩＤを記録した前記貸与用カードの貸与状態を、当該カードＩＤごとに来訪者情報記憶部で記憶するステップと、
来訪者カード発行時には、当該来訪者の訪問先施設に対応する通行許可区分を有し、かつ前記貸与状態が未貸与を示すカードＩＤを前記来訪者情報記憶部から選択し、前記来訪者情報記憶部のうち選択した当該カードＩＤの前記貸与状態を貸与中に設定するとともに、前記貸与用カードのいずれかに当該カードＩＤを記録することにより当該貸与用カードを来訪者カードとして発行するステップと、
来訪者カード返却時には、前記来訪者情報記憶部のうち返却された来訪者カードから読み出したカードＩＤの前記貸与状態を未貸与に設定するステップと
を備えることを特徴とする入退室管理方法。
【請求項３】
予め登録されている登録者用のＩＤカードである登録者カードと、来訪者用のＩＤカードである来訪者カードと、これらＩＤカードに固有のカードＩＤに基づき入退室判定情報記憶部から取得した通行許可区分に基づいて施設への入退室可否を判定する入退室判定部とを備える入退室管理システムで用いられ、カードＩＤの書き換えが可能な貸与用カードを前記来訪者カードとして発行する受付装置であって、
前記来訪者カードで用いるカードＩＤごとに、当該カードＩＤを記録した前記貸与用カードの貸与状態を記憶する来訪者情報記憶部と、
来訪者カード発行時には、当該来訪者の訪問先施設に対応する通行許可区分を有し、かつ前記貸与状態が未貸与を示すカードＩＤを前記来訪者情報記憶部から選択し、前記来訪者情報記憶部のうち選択した当該カードＩＤの前記貸与状態を貸与中に設定するとともに、前記貸与用カードのいずれかに当該カードＩＤを記録することにより当該貸与用カードを来訪者カードとして発行し、来訪者カード返却時には、前記来訪者情報記憶部のうち返却された来訪者カードから読み出したカードＩＤの前記貸与状態を未貸与に設定するＩＤカード処理部と
を備えることを特徴とする受付装置。
【発明の詳細な説明】
【技術分野】
【０００１】
本発明は、入退室管理技術に関し、特に来訪者用ＩＤカードの発行処理技術に関する。
【背景技術】
【０００２】
入退室管理システムでは、個別のカードＩＤを記録したＩＤカードを登録者に配布するとともに、これらカードＩＤごとに、当該ＩＤカードの登録者に関する通行許可区分や個人情報を管理装置の登録者情報に登録しておき、施設のドアに設置されたカード端末でＩＤカードから取得したカードＩＤに基づいて、登録者情報を検索することにより入退室可否を判定するものとなっている。
【０００３】
このように入退室管理システムにおいて、一時的な来訪者に対して前述と同様な入退室管理を適用する場合、受付装置を設け、当該来訪者に関する通行許可区分などの入退室判定情報として、当該来訪者の訪問先となる登録者の通行許可区分を管理装置の登録者情報から読み出し、この訪問先登録者の通行許可区分を記録したＩＤカードを来訪者カードとして発行し、施設の入退室時に来訪者カードが提示された場合には、管理装置において、当該来訪者カードから取得した訪問先登録者の通行許可区分に基づいて入退室可否を判定することにより、登録者と同等に来訪者の入退室を管理する方法が提案されている（例えば、特許文献１など参照）。
【０００４】
【特許文献１】特開２００５−０６８８９９号公報
【発明の開示】
【発明が解決しようとする課題】
【０００５】
しかしながら、このような従来技術では、来訪者の入退室判定情報として訪問先登録者の入退室判定情報を用いているため、例えばセキュリティ面から来訪者の通行許可区分をさらに限定したい場合には、受付装置で当該来訪者の行動範囲に応じた通行許可区分を個々に操作入力する必要があり、来訪者カード発行時の作業負担が増大するという問題点があった。
本発明はこのような課題を解決するためのものであり、作業負担を増大させることなく個々の来訪者に応じた通行許可区分を有する来訪者カードを発行できる入退室管理システム、入退室管理方法、および受付装置を提供することを目的としている。
【課題を解決するための手段】
【０００６】
このような目的を達成するために、本発明にかかる入退室管理システムは、予め登録されている登録者用のＩＤカードである登録者カードと、来訪者用のＩＤカードである来訪者カードと、これらＩＤカードに固有のカードＩＤに基づき入退室判定情報記憶部から取得した通行許可区分に基づいて施設への入退室可否を判定する入退室判定部とを備える入退室管理システムであって、カードＩＤの書き換えが可能な複数の貸与用カードと、貸与用カードを来訪者カードとして発行する受付装置とをさらに備え、受付装置は、来訪者カードで用いるカードＩＤごとに、当該カードＩＤを記録した貸与用カードの貸与状態を記憶する来訪者情報記憶部と、来訪者カード発行時には、当該来訪者の訪問先施設に対応する通行許可区分を有し、かつ貸与状態が未貸与を示すカードＩＤを来訪者情報記憶部から選択し、来訪者情報記憶部のうち選択した当該カードＩＤの貸与状態を貸与中に設定するとともに、貸与用カードのいずれかに当該カードＩＤを記録することにより当該貸与用カードを来訪者カードとして発行し、来訪者カード返却時には、来訪者情報記憶部のうち返却された来訪者カードから読み出したカードＩＤの貸与状態を未貸与に設定するＩＤカード処理部とを備えている。
【０００７】
また、本発明にかかる入退室管理方法は、予め登録されている登録者用のＩＤカードである登録者カードと、来訪者用のＩＤカードである来訪者カードと、これらＩＤカードに固有のカードＩＤに基づき入退室判定情報記憶部から取得した通行許可区分に基づいて施設への入退室可否を判定する入退室判定部とを備える入退室管理システムで用いる入退室管理方法であって、カードＩＤの書き換えが可能な複数の貸与用カードのうち、来訪者カードで用いるカードＩＤを記録した貸与用カードの貸与状態を、当該カードＩＤごとに来訪者情報記憶部で記憶するステップと、来訪者カード発行時には、当該来訪者の訪問先施設に対応する通行許可区分を有し、かつ貸与状態が未貸与を示すカードＩＤを来訪者情報記憶部から選択し、来訪者情報記憶部のうち選択した当該カードＩＤの貸与状態を貸与中に設定するとともに、貸与用カードのいずれかに当該カードＩＤを記録することにより当該貸与用カードを来訪者カードとして発行するステップと、来訪者カード返却時には、来訪者情報記憶部のうち返却された来訪者カードから読み出したカードＩＤの貸与状態を未貸与に設定するステップとを備えている。
【０００８】
また、本発明にかかる受付装置は、予め登録されている登録者用のＩＤカードである登録者カードと、来訪者用のＩＤカードである来訪者カードと、これらＩＤカードに固有のカードＩＤに基づき入退室判定情報記憶部から取得した通行許可区分に基づいて施設への入退室可否を判定する入退室判定部とを備える入退室管理システムで用いられ、カードＩＤの書き換えが可能な貸与用カードを来訪者カードとして発行する受付装置であって、来訪者カードで用いるカードＩＤごとに、当該カードＩＤを記録した貸与用カードの貸与状態を記憶する来訪者情報記憶部と、来訪者カード発行時には、当該来訪者の訪問先施設に対応する通行許可区分を有し、かつ貸与状態が未貸与を示すカードＩＤを来訪者情報記憶部から選択し、来訪者情報記憶部のうち選択した当該カードＩＤの貸与状態を貸与中に設定するとともに、貸与用カードのいずれかに当該カードＩＤを記録することにより当該貸与用カードを来訪者カードとして発行し、来訪者カード返却時には、来訪者情報記憶部のうち返却された来訪者カードから読み出したカードＩＤの貸与状態を未貸与に設定するＩＤカード処理部とを備えている。
【発明の効果】
【０００９】
本発明によれば、来訪者受付時には、受付装置で当該来訪者の行動範囲に応じた通行許可区分を個々に操作入力する必要がなくなる。このため、来訪者受付時の作業負担を増大させることなく、個々の来訪者の訪問先施設に応じた通行許可区分を有する来訪者カードを発行することができる。
これにより、来訪者に対して、訪問先登録者の通行許可区分とは別個の通行許可区分、例えばより限定した通行許可区分を極めて容易に適用することが可能となり、入退室管理システム全体のセキュリティ性を高めることが可能となる。また、来訪者カードには通行許可区分に応じた来訪者用のカードＩＤのみが記録されていれば入退室判定を行えることから、来訪者カードを発行する際には、何も記録されていない貸与用カードであっても来訪者カードとして発行することが可能である。このため、来訪者発行時において、当該来訪者の許可区分に対応する特定のＩＤカードを選択するなどの作業負担を省くことが可能となる。
【発明を実施するための最良の形態】
【００１０】
次に、本発明の実施の形態について図面を参照して説明する。
［実施の形態の構成］
まず、図１を参照して、本発明の一実施の形態にかかる入退室管理システムについて説明する。図１は、本発明の一実施の形態にかかる入退室管理システムの構成を示すブロック図である。
【００１１】
この入退室管理システム１００には、ＩＤカード１０、カード端末２２、電気錠２３、制御装置３０、管理装置４０、および受付装置５０が含まれている。各部屋２０のドア２１に対して設置されているカード端末２２および電気錠２３は、通信回線Ｌ１を介してそれぞれデータ通信可能に制御装置３０と接続されている。管理装置４０には、通信回線Ｌ２を介して制御装置３０と受付装置５０とがデータ通信可能に接続されている。この際、入退室管理システムの規模に応じて、制御装置３０を複数設けてもよい。
【００１２】
ＩＤカード１０は、メモリカードやＩＣカードなどの携帯可能な情報処理用のカードからなり、当該ＩＤカードを所持する利用者の入退室可否を判定するために必要なカード情報を記録する機能を有している。
本発明では、ＩＤカード１０として登録者カードと来訪者カードの２種類のＩＤカードを用いる。登録者カードは、入退室管理システム１００の管理下にある施設を常用する登録者に予め配布するＩＤカードである。来訪者カードは、入退室管理システムの管理下にある施設を一時的に利用する来訪者に配布するＩＤカードである。
【００１３】
また、来訪者が来訪目的に応じて利用する施設の利用を許可するための通行許可区分を、施設ごとに予め設定しておき、これら通行許可区分ごとに来訪者用のカードＩＤを複数割り当てておく。そして、来訪者の来訪時に、当該来訪者が利用する施設に対応した通行許可区分に対応するカードＩＤを選択し、カードＩＤの書き換えが可能な複数の貸与用カードのいずれかに当該カードＩＤを記録し、その貸与用カードを来訪者カードとして当該来訪者に貸与する。
【００１４】
カード端末２２は、部屋２０のドア２１ごとに設けられた、カードリーダなどのカード処理装置からなり、カードスロットへＩＤカードを挿入し（接触型）、あるいはカードアンテナへＩＤカードをかざすことにより（非接触型）、利用者が提示したＩＤカード１０からカード情報を読み出す機能と、当該カード情報を制御装置３０へ通信回線Ｌ１を介して送信する機能とを有している。
電気錠２３は、部屋２０のドア２１ごとに設けられた電動式の錠前からなり、通信回線Ｌ１を介して受信した制御装置３０からの開錠／施錠の指示に応じて、ドア２１の開錠／施錠を行う機能を有している。なお、電気錠２３は、常時、施錠されており、制御装置３０から開錠指示が到来した場合にのみ所定期間だけ開錠するものとする。
【００１５】
制御装置３０は、設備の管理・監視を行う各種制御システムで用いられるコントローラなどの制御装置からなり、カード端末２２でＩＤカード１０から読み取られたカード情報に基づき、入退室可否の判定を行う機能を有している。
図２は、制御装置の構成例を示すブロック図である。この制御装置３０には、主な機能部として、通信インターフェース部（以下、通信Ｉ／Ｆ部という）３１、端末インターフェース部（以下、端末Ｉ／Ｆ部という）３２、記憶部３３、入退室判定情報記憶部３４、および入退室判定部３５が設けられており、これら機能部は、バス３９を介して相互にデータやり取り可能に接続されている。
【００１６】
通信Ｉ／Ｆ部３１は、通信回線Ｌ２を介して管理装置４０などの外部装置とデータ通信を行う機能を有している。
端末Ｉ／Ｆ部３２は、通信回線Ｌ１を介してカード端末２２や電気錠２３などの外部端末とデータ通信を行う機能を有している。
記憶部３３は、メモリやハードディスクなどの記憶装置からなり、制御装置３０での処理動作に用いる各種情報やプログラムを記憶する機能を有している。
【００１７】
入退室判定情報記憶部３４は、メモリやハードディスクなどの記憶装置からなり、入退室管理システム１００の管理下にある施設を常用する登録者用のカードＩＤや、通行許可区分ごとに割り当てられた来訪者用のカードＩＤごとに、入退室判定に用いる入退室判定情報を記憶する記憶部である。図３は、入退室判定情報の構成例である。この例では、これら「カードＩＤ」ごとに、当該使用者の利用時間帯を示す「アクセスレベル」と、当該使用者が通行許可されているドアを示す「通行許可区分」と、入退室の履歴保存の要否を示す「履歴フラグ」とが、組として保存されている。
【００１８】
入退室判定部３５は、ＣＰＵとプログラムとが協働してなる演算処理部により構成されており、端末Ｉ／Ｆ部３２を介して受信したカード端末２２からのカード情報に応じて入退室可否を判定する機能と、その入退室判定結果を端末Ｉ／Ｆ部３２から要求元のカード端末２２へ返送する機能と、入退室可を示す判定結果に応じて当該カード端末２２と対応するドア２１の電気錠２３に対する開錠／施錠の指示を端末Ｉ／Ｆ部３２から送信する機能と、入退室可を示す判定結果に応じて当該入退室に関する履歴の履歴登録指示を通信Ｉ／Ｆ部３１から管理装置４０へ送信する機能とを有している。
【００１９】
この際、入退室判定部３５は、カード情報に含まれる「貸与フラグ」に基づいて、当該ＩＤカード１０が登録者カードか来訪者カードかを確認し、当該ＩＤカード１０が来訪者カードの場合には、カード情報に含まれているカードＩＤと個人情報を履歴登録指示により通知する。一方、当該ＩＤカード１０が登録者カードの場合には、当該カードＩＤのみを履歴登録指示により通知する。
【００２０】
管理装置４０は、サーバ装置やパソコンなどの情報処理装置からなる。図４は、管理装置の構成例を示すブロック図である。
管理装置４０には、主な機能部として、通信Ｉ／Ｆ部４１、操作入力部４２、画面表示部４３、記憶部４４、登録者情報記憶部４５、履歴情報記憶部４６、および履歴管理部４７が設けられており、これら機能部は、バス４９を介して相互にデータやり取り可能に接続されている。
【００２１】
通信Ｉ／Ｆ部４１は、通信回線Ｌ２を介して制御装置３０や受付装置５０などの外部装置とデータ通信を行う機能を有している。
操作入力部４２は、キーボードやマウスなどの操作入力装置からなり、オペレータ操作を検出して、履歴管理部４７などの各種機能部へ出力する機能を有している。
画面表示部４３は、ＬＣＤやＰＤＰなどの画面表示装置からなり、履歴管理部４７などの各種機能部から出力された各種情報を画面表示する機能を有している。
記憶部４４は、メモリやハードディスクなどの記憶装置からなり、管理装置４０での処理動作に用いる各種情報やプログラムを記憶する機能を有している。
【００２２】
登録者情報記憶部４５は、メモリやハードディスクなどの記憶装置からなり、入退室管理システム１００の管理下にある施設を常用する登録者に関する個人情報を記憶する記憶部である。図５は、登録者情報の構成例である。この例では、登録者を識別するための「カードＩＤ」ごとに、「氏名」,「所属」,「電話番号」,「メールアドレス」などの個人情報が組として保存されている。
履歴情報記憶部４６は、メモリやハードディスクなどの記憶装置からなり、入退室管理システム１００の管理下にある施設での入退室の履歴を示す履歴情報を記憶する記憶部である。
【００２３】
履歴管理部４７は、ＣＰＵとプログラムとが協働してなる演算処理部により構成されており、制御装置３０からの履歴登録指示に応じて、制御装置３０の入退室判定部３５で判定した入退室に関する履歴を履歴情報として履歴情報記憶部４６へ保存する機能を有している。
この際、履歴管理部４７は、受信した履歴登録指示に個人情報が含まれている場合、履歴登録指示の個人情報とカードＩＤと含む履歴情報を履歴情報記憶部４６へ保存する。一方、受信した履歴登録指示に個人情報が含まれていない場合、履歴登録指示のカードＩＤに対応する登録者の個人情報を登録者情報記憶部４５から取得し、この個人情報とカードＩＤと含む履歴情報を履歴情報記憶部４６へ保存する。
【００２４】
受付装置５０は、サーバ装置やパソコンなどの情報処理装置からなる。図６は、受付装置の構成例を示すブロック図である。
受付装置５０には、主な機能部として、通信Ｉ／Ｆ部５１、カードインターフェース部（以下、カードＩ／Ｆ部という）５２、操作入力部５３、画面表示部５４、記憶部５５、来訪者情報記憶部５６、およびＩＤカード処理部５７が設けられており、これら機能部は、バス５９を介して相互にデータやり取り可能に接続されている。また、ＩＤカード処理部５７は、ＣＰＵとプログラムとが協働してなる演算処理部により構成されている。
【００２５】
通信Ｉ／Ｆ部５１は、通信回線Ｌ２を介して制御装置３０などの外部装置とデータ通信を行う機能を有している。なお、本発明では、受付装置５０と制御装置３０または管理装置４０との間でデータ通信を行う必要はない。
カードＩ／Ｆ部５２は、無線／有線による通信インターフェース装置や磁気記録再生装置などのカード処理装置からなり、利用者が提示したＩＤカード１０との間でカード情報１１の読み出し／書き込みを行う機能を有している。
【００２６】
操作入力部５３は、キーボードやマウスなどの操作入力装置からなり、オペレータや来訪者の操作を検出して、ＩＤカード処理部５７などの各種機能部へ出力する機能を有している。
画面表示部５４は、ＬＣＤやＰＤＰなどの画面表示装置からなり、入退室判定部３５や履歴管理部４７などの各種機能部から出力された各種情報を画面表示する機能を有している。
【００２７】
記憶部５５は、メモリやハードディスクなどの記憶装置からなり、受付装置５０での処理動作に用いる各種情報やプログラムを記憶する機能を有している。
来訪者情報記憶部５６は、メモリやハードディスクなどの記憶装置からなり、入退室管理システム１００の管理下にある施設を一時利用する来訪者に関する来訪者情報を記憶する記憶部である。
【００２８】
ＩＤカード処理部５７は、来訪者の来訪時に、操作入力部５３からオペレータまたは当該来訪者により入力された当該来訪者の来訪先施設と個人情報を取得する機能と、当該来訪者の訪問先施設に対応する通行許可区分を有し、かつ貸与状態が未貸与を示すカードＩＤを来訪者情報記憶部５６から選択する機能と、来訪者情報記憶部５６のうち選択した当該カードＩＤの貸与状態を貸与中に設定するとともに、個人情報を当該カードＩＤに関連付けて来訪者情報記憶部５６に登録する機能と、貸与用カードのいずれかに、カードＩ／Ｆ部５２を介して当該カードＩＤを記録することにより当該貸与用カードを来訪者カードとして発行する機能と、来訪者カード返却時には、来訪者情報記憶部５６のうち返却された来訪者カードから読み出したカードＩＤの貸与状態を未貸与に設定する機能と、来訪者カード発行時に当該来訪書カードに書き込んだカードＩＤおよび個人情報を消去する機能とを有している。
【００２９】
本発明では、図６に示すように、来訪者が来訪目的に応じて利用する施設の利用を許可するための通行許可区分ごとに、来訪者用の異なるカードＩＤを複数割り当てておき、来訪者カード発行時、来訪者の来訪目的に合わせて、来訪者の訪問施設に対応する通行許可区分と対応するカードＩＤを、貸与用カード１０Ａのいずれかに記録することにより来訪者カードとして発行する。
以下では、来訪者の訪問を許可する時間を示すアクセスレベルを、通行許可区分と組み合わせ、この組み合わせ、すなわち入退室判定情報ごとに来訪者用カードＩＤをそれぞれ予め割り当てておく場合を例として説明するが、最低限、通行許可区分ごとに来訪者用カードＩＤを割り当てておけばよいことはいうまでもない。なお、貸与用カードには、来訪者カード発行時にカードＩＤが記録されるため、予めカードＩＤを貸与用カードに記録しておく必要はない。
【００３０】
図７は、来訪者情報の構成例である。この例では、登録者用カードとは別個に、来訪者カード用として予め割り当てらたれ「カードＩＤ」ごとに、当カードＩＤの来訪者カードを一時使用している来訪者に関する「氏名」,「所属」,「電話番号」,「メールアドレス」などの個人情報と、当該カードＩＤに固有の入退室判定情報を示す「通行許可区分」および「アクセスレベル」と、入退室の履歴保存の要否を示す「履歴フラグ」と、当該カードＩＤの貸与状態を示す「貸与フラグ」とが、組として保存されている。
【００３１】
このうち、入退室判定情報の「通行許可区分」と「アクセスレベル」は、それぞれのカードＩＤに対して予め固定的に割り当てられている。図７の例では、５００〜５９９のカードＩＤについては、「通行許可区分」として「１１Ａ，１１Ｂ」が予め固定的に割り当てられているとともに、「アクセスレベル」として「１」が予め固定的に割り当てられている。また、６００〜６９９のカードＩＤには、「通行許可区分」として「１２Ａ，１２Ｂ」が予め固定的に割り当てられているとともに、「アクセスレベル」として「２」が予め固定的に割り当てられている。この「通行許可区分」および「アクセスレベル」とカードＩＤとの対応関係は、制御装置３０の入退室判定情報記憶部３４にも登録されている。
【００３２】
図８は、カード情報の構成例である。この例では、来訪者を識別するための「カードＩＤ」と、入退室の履歴保存の要否を示す「履歴フラグ」と、当該ＩＤカードが来訪者カードであることを示す「貸与フラグ」とが、予めカード情報として記録されている。受付装置５０では、ＩＤカード発行時、来訪者に関する「氏名」,「所属」,「電話番号」,「メールアドレス」などの個人情報をカード情報に追記する。また、ＩＤカード返却時には、当該カードＩＤと個人情報のみを消去する。
【００３３】
［実施の形態の動作］
次に、本発明の一実施の形態にかかる入退室管理システムの動作について説明する。以下では、入退室管理システム１００において、来訪者カードの貸与時および返却時における動作と、登録者や利用者が実際にＩＤカードを用いて施設に入退室する際の入退室判定動作とを別個に説明する。
【００３４】
［来訪者カード貸与動作］
まず、図９を参照して、受付装置を用いた来訪者カード貸与動作について説明する。図９は、受付装置を用いた来訪者カード貸与動作を示すフローチャートである。
受付装置５０は、操作入力部５３により、オペレータや来訪者によるカード発行要求操作が検出された場合、ＩＤカード処理部５７により、図９の来訪者カード貸与動作に沿ってカード発行処理を実行する。
【００３５】
まず、ＩＤカード処理部５７は、オペレータや来訪者による操作入力部５３での入力操作に応じて、当該来訪者の通行許可区分およびアクセスレベルを取得し（ステップ５００）、当該通行許可区分およびアクセスレベルと一致する「通行許可区分」および「アクセスレベル」を持つカードＩＤのうち、「貸与フラグ」が未貸与状態にあるカードＩＤを、来訪者情報記憶部５６から検索する（ステップ５０１）。
ここで、対応するカードＩＤが検索できなかった場合（ステップ５０２：ＮＯ）、ＩＤカード処理部５７は、来訪者カードを貸与できない旨を画面表示部５４に表示して（ステップ５０３）、一連のカード発行処理を終了する。
【００３６】
一方、対応するＩＤカードが検索できた場合（ステップ５０３：ＹＥＳ）、来訪者情報記憶部５６のうち、当該カードＩＤに対応する来訪者情報の「貸与フラグ」を未貸与状態「０」から貸与中状態「１」へ設定する（ステップ５１０）。
続いて、ＩＤカード処理部５７は、操作入力部５３での入力操作に応じて、当該来訪者の個人情報と選択した来訪者ＩＤカードのカードＩＤとを取得し（ステップ５１１）、来訪者情報記憶部５６のうち、当該カードＩＤに対応する来訪者情報の「個人情報」として登録する（ステップ５１２）。
【００３７】
次に、保管してある未貸与中の各貸与用カードのうちから、任意のＩＤカード１０が、オペレータや来訪者により選択され、受付装置５０のカードＩ／Ｆ部５２に取り付けられる。
ＩＤカード処理部５７は、当該ＩＤカード１０と、カードＩ／Ｆ部５２を介してデータアクセス可能に接続し（ステップ５１３）、来訪者情報記憶部５６のうち、ステップ５０１で選択したカードＩＤに対応する来訪者情報から、カードＩＤおよび個人情報を読み出し、カードＩ／Ｆ部５２に接続されているＩＤカード１０のカード情報１１に記録する（ステップ５１４）。
【００３８】
これにより、貸与用カードからなるＩＤカード１０が、受付装置５０により、当該来訪者用の新たな来訪者カードとして発行される。当該来訪者カードは、オペレータにより受付装置５０から取り外され、当該来訪者へ貸与される（ステップ５１５）。
なお、入退室履歴の登録要否を設定するための「履歴フラグ」については、当該個人情報とともに操作入力されたものを個人情報とともにＩＤカード１０へ追記してもよく、個々のカードＩＤごとに履歴あり「１」または履歴なし「０」のいずれかを予めＩＤカード１０に記録しておいてもよい。また、入退室判定時に入退室履歴を登録する際、来訪者カード内の個人情報を使用しない場合には、個人情報を来訪者カードに記録する必要はない。
【００３９】
［来訪者カード返却動作］
次に、図１０を参照して、受付装置を用いた来訪者カード返却動作について説明する。図１０は、受付装置を用いたカード返却動作を示すフローチャートである。
受付装置５０は、操作入力部５３により、オペレータや来訪者によるカード返却要求操作が検出された場合、ＩＤカード処理部により、図１０の来訪者カード返却動作に沿ってカード返却処理を実行する。
【００４０】
まず、返却対象の来訪者カードであるＩＤカード１０が、オペレータや来訪者により、受付装置５０のカードＩ／Ｆ部５２に取り付けられる。
ＩＤカード処理部５７は、当該ＩＤカード１０と、カードＩ／Ｆ部５２を介してデータアクセス可能に接続し（ステップ５２０）、当該ＩＤカード１０からカードＩＤを読み出して（ステップ５２１）、当該カードＩＤに対応する「個人情報」を来訪者情報記憶部５６から消去する（ステップ５２２）。
【００４１】
次に、ＩＤカード処理部５７は、当該来訪者カード内の個人情報を消去し（ステップ５２３）、来訪者情報記憶部５６のうち当該カードＩＤに対応する「貸与フラグ」を未貸与状態「０」に設定する（ステップ５２４）。
これにより、当該来訪者カードが、オペレータにより受付装置５０から取り外され、貸与用カードとして保管される（ステップ５２５）。
【００４２】
［登録者に対する入退室判定動作］
次に、図１１を参照して、登録者に対する入退室管理システムの動作について説明する。図１１は、本発明の一実施の形態にかかる入退室管理システムの動作（登録者）を示すシーケンス図である。
ここでは、登録者がドア２１から部屋２０について入退室する際、提示された登録者カードから読み出したカード情報に基づいて、入退室可否判定を行うとともに履歴情報を保存する場合について説明する。
【００４３】
カード端末２２は、利用者が提示したＩＤカード１０からカード情報を読み出し、このカード情報に含まれる「貸与フラグ」に基づいて、当該ＩＤカード１０のカード種別、すなわち登録者カードか来訪者カードかを確認する（ステップ１００）。
【００４４】
ここで、「貸与フラグ」が「１」であり、当該ＩＤカード１０が一時的に貸与された来訪者カードであることが確認された場合、入退室判定部３５は、後述する図１４のステップ２０１へ移行する。
【００４５】
一方、「貸与フラグ」が「２」であり、当該ＩＤカード１０が一時的に貸与された来訪者カードではなく、登録者に配布された登録者カードであることが確認された場合、カード端末２２は、当該ＩＤカード１０から読み出したＩＤカードのみを、通信回線Ｌ１を介して制御装置３０へ送信する（ステップ１０１）。
制御装置３０の入退室判定部３５は、端末Ｉ／Ｆ部３２によりカード端末２２からのカード情報を受信し、このカード情報に含まれているカードＩＤを取得し、このカードＩＤに対応する入退室判定情報を入退室判定情報記憶部３４から検索し（ステップ１０２）、その検索結果に応じて当該カードＩＤが入退室判定情報記憶部３４に登録されている正規登録ＩＤがどうか確認する（ステップ１０３）。
【００４６】
ここで、利用者のカードＩＤに対応する入退室判定情報の検索が失敗し、当該カードＩＤが正規登録ＩＤであると確認できなかった場合（ステップ１０３：ＮＯ）、入退室判定部３５は、入退室不可を示す判定結果を端末Ｉ／Ｆ部３２からカード端末２２へ入退室不可を通知する（ステップ１１０）。この際、電気錠２３では施錠状態を維持させればよいことから、電気錠２３に対して特別な指示は行われない。
カード端末２２は、制御装置３０からの入退室不可の通知に応じて、入退室不可である旨を利用者へ表示する（ステップ１１１）。
【００４７】
一方、ステップ１０３において、利用者のカードＩＤに対応する入退室判定情報の検索が成功し、当該カードＩＤが正規登録ＩＤであると確認できた場合（ステップ１０３：ＹＥＳ）、入退室判定部３５は、記憶部４４からアクセスレベル設定情報を読み出し（ステップ１２０）、ステップ１１０で入退室判定情報記憶部３４から検索した入退室判定情報の通行許可区分およびアクセスレベルと当該カード端末２２に対応するドアＩＤとに基づき入退室の可否を判定する（ステップ１２１）。ドアＩＤについては、カード端末２２からカード情報とともに取得してもよく、カード端末２２の通信アドレスや収容位置などの識別情報とドアＩＤとを対応付けて記憶部３３に予め設定しておいてもよい。
【００４８】
図１２は、アクセスレベル設定情報を示す説明図である。このアクセスレベル設定情報は、各ドア２１に固有のドアＩＤごとに、アクセスレベルと入退室の時間帯との対応関係が設定された情報である。このアクセスレベルを利用者（登録者および来訪者）に対して予め割り当てておくことにより、当該利用者が入退室する時間帯をドアごとに制限することが可能となる。また、通行許可区分は、利用者が利用可能な施設や通行可能な範囲に存在するドア２１を示すドアＩＤのリストからなる。
【００４９】
この際、入退室判定部３５は、カード情報の送信元であるカード端末２２に対応するドア２１のドアＩＤが、入退室判定情報記憶部３４から検索した通行許可区分のドアＩＤリストに登録されており、かつ入退室判定情報記憶部３４から検索したアクセスレベルと当該ドアＩＤとから、当該判定時の時間帯に当該ドア２１の通過が許可されている場合にのみ入退室可能と判定し、これ以外の場合には入退室不可と判定する。
【００５０】
ステップ１２１において、入退室不可と判定された場合（ステップ１２２：ＮＯ）、入退室判定部３５は、入退室不可を示す判定結果を端末Ｉ／Ｆ部３２からカード端末２２へ通知する（ステップ１２３）。この際、電気錠２３では施錠状態を維持させればよいことから、電気錠２３に対して特別な指示は行われない。
カード端末２２は、制御装置３０からの入退室不可の通知に応じて、入退室不可である旨を利用者へ表示する（ステップ１２４）。
【００５１】
一方、ステップ１２１において、入退室可能と判定された場合（ステップ１２２：ＹＥＳ）、入退室判定部３５は、入退室可能を示す判定結果を端末Ｉ／Ｆ部３２からカード端末２２へ通知するとともに（ステップ１３１）、電気錠２３に対して開錠を指示する（ステップ１３２）。
カード端末２２は、制御装置３０からの入退室許可の通知に応じて、入退室許可である旨を利用者へ表示する（ステップ１３２）。また、電気錠２３は、制御装置３０からの開錠指示に応じて、ドア２１を一時的に開錠する（ステップ１３３）。これにより、利用者はドア２１を通行することが可能となる。
【００５２】
また、ステップ１２１において、入退室可能と判定された場合（ステップ１２２：ＹＥＳ）、入退室判定部３５は、入退室判定情報記憶部３４から検索した入退室判定情報の履歴フラグを確認し、この履歴フラグが「１」であり、履歴の登録が必要であることが確認された場合、当該入退室に関する履歴の履歴登録指示に当該カードＩＤを含めて、通信Ｉ／Ｆ部３１から管理装置４０へ送信する（ステップ１３４）。この際、履歴フラグに依存せず、すべての入退室判定について履歴を登録するようにしてもよい。また、入退室可能と判定された場合だけでなく、入退室不可と判定された場合にも履歴を登録するようにしてもよい。
【００５３】
管理装置４０の履歴管理部４７は、通信Ｉ／Ｆ部４１を介して制御装置３０から履歴登録指示を受信し、この履歴登録指示に個人情報が含まれていないことから、当該履歴登録指示で通知されたカードＩＤに対応する登録者の個人情報を登録者情報記憶部４５から検索して取得し（ステップ１４０）、この個人情報を含む履歴情報を履歴情報記憶部４６へ保存する（ステップ１４１）。
【００５４】
図１３は、履歴情報の構成例である。この例では、入退室判定時の「日付」および「日時」、入退室判定対象となったドアの識別情報である「ドアＩＤ」、入退室の方向を示す「入退」、入退室判定対象となった利用者の「ＩＤ」,「氏名」,「所属」,「電話番号」,「メールアドレス」などの個人情報が、組として保存されている。
【００５５】
［来訪者に対する入退室判定動作］
次に、図１４を参照して、来訪者に対する入退室管理システムの動作について説明する。図１４は、本発明の一実施の形態にかかる入退室管理システムの動作（来訪者）を示すシーケンス図であり、図１１と同じまたは同等部分については同一符号を付してある。
ここでは、来訪者がドア２１から部屋２０について入退室する際、提示された来訪者カードから読み出したカード情報に基づき、入退室可否判定を行うとともに履歴情報を保存する場合について説明する。
【００５６】
カード端末２２は、利用者が提示したＩＤカード１０からカード情報を読み出し、このカード情報に含まれる「貸与フラグ」に基づいて、当該ＩＤカード１０のカード種別、すなわち登録者カードか来訪者カードかを確認する（ステップ１００）。
ここで、「貸与フラグ」が「１」であり、当該ＩＤカード１０が一時的に貸与された来訪者カードであることが確認された場合、当該ＩＤカード１０から読み出したカードＩＤと個人情報を、通信回線Ｌ１を介して制御装置３０へ送信する（ステップ２０１）。
【００５７】
制御装置３０の入退室判定部３５は、端末Ｉ／Ｆ部３２によりカード端末２２からのカード情報を受信し、このカード情報に含まれているカードＩＤを取得し、このカードＩＤに対応する入退室判定情報を入退室判定情報記憶部３４から検索し（ステップ１０２）、その検索結果に応じて当該カードＩＤが入退室判定情報記憶部３４に登録されている正規登録ＩＤがどうか確認する（ステップ１０３）。
【００５８】
ここで、利用者のカードＩＤに対応する入退室判定情報の検索が失敗し、当該カードＩＤが正規登録ＩＤであると確認できなかった場合（ステップ１０３：ＮＯ）、入退室判定部３５は、入退室不可を示す判定結果を端末Ｉ／Ｆ部３２からカード端末２２へ入退室不可を通知する（ステップ１１０）。この際、電気錠２３では施錠状態を維持させればよいことから、電気錠２３に対して特別な指示は行われない。
カード端末２２は、制御装置３０からの入退室不可の通知に応じて、入退室不可である旨を利用者へ表示する（ステップ１１１）。
【００５９】
一方、ステップ１０３において、利用者のカードＩＤに対応する入退室判定情報の検索が成功し、当該カードＩＤが正規登録ＩＤであると確認できた場合（ステップ１０３：ＹＥＳ）、入退室判定部３５は、記憶部４４からアクセスレベル設定情報を読み出し（ステップ１２０）、ステップ１１０で入退室判定情報記憶部３４から検索した入退室判定情報の通行許可区分およびアクセスレベルとドアＩＤとに基づき入退室の可否を判定する（ステップ１２１）。なお、アクセスレベルの詳細については、前述した図１２と同様であり、ここでの説明は省略する。
【００６０】
この際、入退室判定部３５は、カード情報の送信元であるカード端末２２に対応するドア２１のドアＩＤが、入退室判定情報記憶部３４から検索した通行許可区分のドアＩＤリストに登録されており、かつ入退室判定情報記憶部３４から検索したアクセスレベルと当該ドアＩＤとから、当該判定時の時間帯に当該ドア２１の通過が許可されている場合にのみ入退室可能と判定し、これ以外の場合には入退室不可と判定する。
【００６１】
ステップ１２１において、入退室不可と判定された場合（ステップ１２２：ＮＯ）、入退室判定部３５は、入退室不可を示す判定結果を端末Ｉ／Ｆ部３２からカード端末２２へ通知する（ステップ１２３）。この際、電気錠２３では施錠状態を維持させればよいことから、電気錠２３に対して特別な指示は行われない。
カード端末２２は、制御装置３０からの入退室不可の通知に応じて、入退室不可である旨を利用者へ表示する（ステップ１２４）。
【００６２】
一方、ステップ１２１において、入退室可能と判定された場合（ステップ１２２：ＹＥＳ）、入退室判定部３５は、入退室可能を示す判定結果を端末Ｉ／Ｆ部３２からカード端末２２へ通知するとともに（ステップ１３１）、電気錠２３に対して開錠を指示する（ステップ１３２）。
カード端末２２は、制御装置３０からの入退室許可の通知に応じて、入退室許可である旨を利用者へ表示する（ステップ１３２）。また、電気錠２３は、制御装置３０からの開錠指示に応じて、ドア２１を一時的に開錠する（ステップ１３３）。これにより、利用者はドア２１を通行することが可能となる。
【００６３】
また、ステップ１２１において、入退室可能と判定された場合（ステップ１２２：ＹＥＳ）、入退室判定部３５は、入退室判定情報記憶部３４から検索した入退室判定情報の履歴フラグを確認し、この履歴フラグが「１」であり、履歴の登録が必要であることが確認された場合、当該入退室に関する履歴の履歴登録指示にカード情報から取得した個人情報と当該カードＩＤとを含めて、通信Ｉ／Ｆ部３１から管理装置４０へ送信する（ステップ２３４）。この際、履歴フラグに依存せず、すべての入退室判定について履歴を登録するようにしてもよい。また、入退室可能と判定された場合だけでなく、入退室不可と判定された場合にも履歴を登録するようにしてもよい。
【００６４】
管理装置４０の履歴管理部４７は、通信Ｉ／Ｆ部４１を介して制御装置３０から履歴登録指示を受信し、この履歴登録指示に個人情報が含まれていることから、当該履歴登録指示から個人情報を取得し（ステップ２４０）、この個人情報と当該履歴登録指示で通知されたカードＩＤとを含む履歴情報を履歴情報記憶部４６へ保存する（ステップ１４１）。これにより、登録者情報記憶部４５に個人情報が登録されていない来訪者についても、登録者と同様に、当該来訪者の個人情報を含む履歴情報を保存することができる。
【００６５】
［実施の形態の効果］
このように、本実施の形態では、各施設の利用のために予め設定した通行許可区分ごとに来訪者用の異なるカードＩＤを複数割り当てておき、受付装置において、来訪者カードで用いるカードＩＤごとに、当該カードＩＤを記録した貸与用カードの貸与状態を示す貸与状態情報を来訪者情報記憶部で記憶しておき、来訪者カード発行時には、当該来訪者の来訪目的と対応する通行許可区分を有し、かつ貸与状態が未貸与を示すカードＩＤを来訪者情報記憶部から選択し、来訪者情報記憶部のうち選択した当該カードＩＤの貸与状態を貸与中に設定するとともに、貸与用カードのずれかに当該カードＩＤを記録することにより当該貸与用カードを来訪者カードとして発行し、来訪者カード返却時には、来訪者情報記憶部のうち返却された来訪者カードから読み出したカードＩＤの貸与状態を未貸与に設定設定している。
【００６６】
したがって、来訪者受付時には、来訪者の訪問先となる登録者の入退室判定情報である通行許可区分とは別個の通行許可区分を、来訪者の通行許可区分として容易に適用することができ、作業負担を増大させることなく個々の来訪者の来訪目的に応じた通行許可区分を有する来訪者カードを発行できる。これにより、来訪者の通行許可区分を、訪問先登録者の通行許可区分よりさらに限定することが可能となり、入退室管理システム全体のセキュリティ性を高めることが可能となる。また、来訪者カードには通行許可区分に応じた来訪者用のカードＩＤのみが記録されていれば入退室判定を行えることから、来訪者カードを発行する際には、何も記録されていない貸与用カードであっても来訪者カードとして発行することが可能である。このため、来訪者発行時において、当該来訪者の許可区分に対応する特定のＩＤカードを選択するなどの作業負担を省くことが可能となる。
【００６７】
［実施の形態の拡張］
以上の説明では、制御装置３０に入退室判定部３５を設けて、カード端末２２でＩＤカード１０から読み取ったカード情報に基づき入退室判定を行う場合を例として説明したが、これに限定されるものではなく、管理装置４０で入退室判定を行ってもよい。
この場合、制御装置３０の入退室判定部３５や入退室判定情報記憶部３４を管理装置４０に設け、管理装置４０とカード端末２２や電気錠２３との間でやり取りする、ＩＤカード１０から読み取ったカード情報や各種メッセージを制御装置３０で双方へ転送すればよい。これにより、前述と同様の作用効果が得られる。
【００６８】
また、以上では、管理装置４０の履歴管理部４７で、制御装置３０から受信した履歴登録指示が登録者履歴登録指示か来訪者履歴登録指示かを確認する際、これら履歴登録指示に個人情報が含まれているか否かに基づき両者を区別する場合について説明したが、これに限定されるものではない。例えば、制御装置３０の入退室判定部３５において、登録者履歴登録指示と来訪者履歴登録指示とを区別する区別情報を履歴登録指示へ含めて通知してもよい。また、登録者のカードＩＤおよび来訪者のカードＩＤとして、両者が区別可能なＩＤ値を予め付与する方法を用いてもよい。これにより判定要求電文に両者を区別する区別情報を追加することなく、両者を区別できる。
【図面の簡単な説明】
【００６９】
【図１】本発明の一実施の形態にかかる入退室管理システムの構成を示すブロック図である。
【図２】制御装置の構成例を示すブロック図である。
【図３】入退室判定情報の構成例である。
【図４】管理装置の構成例を示すブロック図である。
【図５】登録者情報の構成例である。
【図６】受付装置の構成例を示すブロック図である。
【図７】来訪者情報の構成例である。
【図８】カード情報の構成例である。
【図９】受付装置でのカード発行処理を示すフローチャートである。
【図１０】受付装置でのカード返却処理を示すフローチャートである。
【図１１】本発明の一実施の形態にかかる入退室管理システムの動作（登録者）を示すシーケンス図である。
【図１２】アクセスレベル設定情報を示す説明図である。
【図１３】履歴情報の構成例である。
【図１４】本発明の一実施の形態にかかる入退室管理システムの動作（来訪者）を示すシーケンス図である。
【符号の説明】
【００７０】
１００…入退室管理システム、１０…ＩＤカード、１０Ａ…貸与用カード、１１…カード情報、２０…部屋、２１…ドア、２２…カード端末、２３…電気錠、３０…制御装置、３１…通信Ｉ／Ｆ部、３２…端末Ｉ／Ｆ部、３３…記憶部、３４…入退室判定情報記憶部、３５…入退室判定部、３９…バス、４０…管理装置、４１…通信Ｉ／Ｆ部、４２…操作入力部、４３…画面表示部、４４…記憶部、４５…登録者情報記憶部、４６…履歴情報記憶部、４７…履歴管理部、４９…バス、５０…受付装置、５１…通信Ｉ／Ｆ部、５２…カードＩ／Ｆ部、５３…操作入力部、５４…画面表示部、５５…記憶部、５６…来訪者情報記憶部、５７…ＩＤカード処理部、５９…バス、Ｌ１，Ｌ２…通信回線。
【図１】
2010037895.tif 000003
【図２】
2010037895.tif 000004
【図３】
2010037895.tif 000005
【図４】
2010037895.tif 000006
【図５】
2010037895.tif 000007
【図６】
2010037895.tif 000008
【図７】
2010037895.tif 000009
【図８】
2010037895.tif 000010
【図９】
2010037895.tif 000011
【図１０】
2010037895.tif 000012
【図１１】
2010037895.tif 000013
【図１２】
2010037895.tif 000014
【図１３】
2010037895.tif 000015
【図１４】
2010037895.tif 000016